(57)【要約】【課題】筐体の開閉状態に関わらず、常に、相対する２方向の入力操作に対する作用が統一された携帯端末装置を提供する。【解決手段】ダイヤル入力部１４は、折り畳み式携帯電話機の回動する側の筐体に設置され、上下２方向の入力を行い、サブ表示部１５は、閉状態において露出される位置に配設され、メイン表示部１６は、開状態となることにより露出される位置に配設され、音声処理部１７は、スピーカを駆動し、開閉スイッチは、携帯電話機１の開閉状態を検出し、制御部２０は、開閉スイッチ１８の出力結果を判別し、開状態を判別すると、ダイヤル入力部１４に対する操作による作用（たとえば、出力音量の増減）を逆転させる。【選択図】図１
2005217537.tif 000002
【特許請求の範囲】
【請求項１】
第１の筐体と、
可動機構を介し、前記第１の筐体に対し開状態または閉状態を形成するように連結される第２の筐体と、
前記第２の筐体に配設され、相対する２方向に操作可能な操作手段と、
前記第１の筐体と前記第２の筐体が形成する開又は閉状態を判別し、その判別結果に応じて、前記操作手段に対する操作による作用を逆転させる制御手段と
を有する携帯端末装置。
【請求項２】
報音手段を有し、
前記操作手段に対する操作による作用は、前記報音手段が報音する音量の変化である
ことを特徴とする請求項１記載の携帯端末装置。
【請求項３】
表示手段を有し、
前記操作手段に対する操作による作用は、前記表示手段が表示する文字の大きさの変化である
ことを特徴とする請求項１記載の携帯端末装置。
【請求項４】
報音手段と表示手段と、を有し、
前記制御手段は、前記報音手段が報音中か否かを判別し、
報音中である場合には、前記操作手段に対する操作による作用を、前記報音手段が報音する音量の変化とし、
報音中でない場合には、前記操作手段に対する操作による作用を、前記表示手段が表示する文字の大きさの変化とする
ことを特徴とする請求項１記載の携帯端末装置。
【請求項５】
表示手段を前記第２の筐体に有し、
前記制御手段は、前記操作手段に対する操作による作用内容を前記表示手段に表示させる
ことを特徴とする請求項１記載の携帯端末装置。
【請求項６】
前記閉状態において露出される位置に配設された第１の表示手段と、
前記開状態とされることにより露出される位置に配設された第２の表示手段と
を有し、
前記制御手段は、前記操作手段に対する操作による作用内容を、閉状態または開状態に応じて、前記第１の表示手段または第２の表示手段に表示させる
ことを特徴とする請求項１記載の携帯端末装置。
【請求項７】
表示手段と入力手段と、を有し、
前記制御手段は、前記入力手段に対する操作に応じて、前記表示手段が表示するテキストを前記報音手段に報音させる
ことを特徴とする請求項２記載の携帯端末装置。
【発明の詳細な説明】
【技術分野】
【０００１】
本発明は、たとえば携帯電話機のように、筐体が開閉される携帯端末装置に関するものである。
【背景技術】
【０００２】
一般に、携帯端末装置としての携帯電話機は、通話機能のために必要な数字キーや電源キーのほか、携帯電話機に備えられた様々な機能（たとえば、電話帳の閲覧、着信音の設定、留守機能の設定・解除等）が操作できるように、多機能キーが設けられている。
多機能キーとしては、ユーザが操作しやすいように、ダイヤル式入力方式やレバー式入力方式などが用いられているが、かかる多機能キーのさらなる操作性向上を目的として、様々な技術が提案されているところである。
たとえば、下記特許文献１には、多機能キーとしてダイヤル型スイッチを携帯電話機本体の両面から回動操作可能に設けることにより、通話中においても携帯電話機本体から耳を話さずに、容易にダイヤル型スイッチを回動操作することを可能とする技術が提案されている。
【０００３】
【特許文献１】特開２００２−３２０００７号公報
【発明の開示】
【発明が解決しようとする課題】
【０００４】
ところで、回動により筐体が開閉するフォルダ型（折り畳み式）携帯電話機やターン型（回転式）携帯電話機においては、ユーザが手にした際に親指による操作性が良いことから、上下２方向に操作可能な多機能キーが筐体の側面部に設置されることがある。
その際、基準筐体側に多機能キーが設置されている場合には、携帯電話機の開閉状態には何ら連動しないように構成されている。
しかし、このような多機能キーを配置する場所によっては、筐体の開状態または閉状態などの状態変化によって、多機能キーの物理的な向きが変わってしまうおそれがある。
【０００５】
本発明はかかる事情に鑑みてなされたものであり、その目的は、筐体の開閉状態に関わらず、常に、相対する２方向の入力操作に対する作用が統一された携帯端末装置を提供することにある。
【課題を解決するための手段】
【０００６】
上記目的を達成するために本発明の観点は、第１の筐体と、可動機構を介し、前記第１の筐体に対し開状態または閉状態を形成するように連結される第２の筐体と、前記第２の筐体に配設され、相対する２方向に操作可能な操作手段と、前記第１の筐体と前記第２の筐体が形成する開又は閉状態を判別し、その判別結果に応じて、前記操作手段に対する操作による作用を逆転させる制御手段とを有する携帯端末装置である。
【０００７】
好適には、報音手段と表示手段と、を有し、前記制御手段は、前記報音手段が報音中か否かを判別し、報音中である場合には、前記操作手段に対する操作による作用を、前記報音手段が報音する音量の変化とし、報音中でない場合には、前記操作手段に対する操作による作用を、前記表示手段が表示する文字の大きさの変化とする。
【０００８】
好適には、表示手段を前記第２の筐体に有し、前記制御手段は、前記操作手段に対する操作による作用内容を前記表示手段に表示させる。
【０００９】
好適には、前記閉状態において露出される位置に配設された第１の表示手段と、前記開状態とされることにより露出される位置に配設された第２の表示手段とを有し、前記制御手段は、前記操作手段に対する操作による作用内容を、閉状態または開状態に応じて、前記第１の表示手段または第２の表示手段に表示させる。
【００１０】
好適には、表示手段と入力手段と、を有し、前記制御手段は、前記入力手段に対する操作に応じて、前記表示手段が表示するテキストを前記報音手段に報音させる。
【発明の効果】
【００１１】
本発明によれば、筐体の開閉状態に関わらず、常に、相対する２方向の入力操作に対する作用が統一されるので、ユーザの操作性が向上する利点がある。
【発明を実施するための最良の形態】
【００１２】
実施形態
以下、本発明に係る携帯端末装置の実施形態を添付図面に関連付けて説明する。
図１は、本発明の携帯端末装置としての携帯電話機１のシステム構成の一例を図解したブロック図である。図２は、携帯電話機１の外観の一例を図解した図である。
携帯電話機１は、可動機構を有する、いわゆる折り畳み式携帯電話機であって、図２（ａ）は開かれた状態（開状態）での正面図を、（ｂ）は閉じられた状態（閉状態）での正面図を、（ｃ）は開状態での側面図を、（ｄ）は閉状態での側面図を、それぞれ示す。
【００１３】
図１に示すように、携帯電話機１は、送受信アンテナ１１１を含む通信処理部１１と、メモリ１２と、キー入力部１３と、操作手段としてのダイヤル入力部１４と、第１の表示手段としてのサブ表示部１５と、第２の表示手段としてのメイン表示部１６と、報音手段としてのスピーカ１７１およびマイクロフォン１７２を含む音声処理部１７と、開閉スイッチ１８と、入力手段としての読み上げキー入力部１９と、制御手段としての制御部２０とを有している。
また、図２（ａ）に示すように、携帯電話機１の本体ケース１０は、第１の筐体としてのキー入力側本体ケース１０１と、第２の筐体としての表示側本体ケース１０２とが、図示しない可動機構により連結されて、開閉状態を形成するように構成される。
【００１４】
通信処理部１１は、基地局を介した無線通信動作、たとえば、電話番号の発呼動作や電子メールの送受信動作などを行う。
通信処理部１１は、送受信アンテナ１１１を含んで構成され、電波を利用した無線通信で行うために、制御部２０で処理された音声情報、電子メール等を変調して送受信アンテナ１１１により図示しない基地局に送信する。
また、通信処理部１１は、基地局から無線により送信され、送受信アンテナ１１１で受信した電子メールや音声情報等の各種情報を復調して制御部２０に出力する。
なお、送受信アンテナ１１１は、キー入力側本体ケース１０１または表示側本体ケース１０２に内蔵され、図２において外部に露出されていない。
【００１５】
メモリ１２は、ＥＥＰＲＯＭ等の不揮発性メモリを含んで構成され、通話やメールの送受信のための制御プログラム、インターネットブラウザ、メッセージデータ、名前および電話番号が登録されたアドレス帳などを記憶する。
また、後述するように、携帯電話機１は、サブ表示部１５やメイン表示部１６に表示されているテキストをリンガスピーカ１７１ｂ（後述する）より出力する読み上げ機能を有しており、かかる読み上げ機能を実現するために、メモリ１２は、音声合成処理のための音素片データを記憶する。なお、音素片データとは、音声の基本単位である音素に対応する音声データの集合である。
また、メモリ１２は、携帯電話機１の開閉状態を示すフラグである開閉状態フラグＢ＿ＣＯＮ（後述する）を記憶する。
【００１６】
キー入力部１３は、終了（終話）／電源キー、開始（発呼）キー、数字等に対応した複数のテンキー等を有し、これらのキーがユーザにより操作されることにより、ユーザからの入力情報を制御部２０に出力する。
【００１７】
操作手段としてのダイヤル入力部１４は、図２（ｃ）に示すように、ユーザが開状態の携帯電話機１を保持した時にユーザの親指により操作がしやすくなるように、表示側本体ケース１０２の側面に配設されるダイヤル式の入力部であり、上下２方向の操作が可能に構成される。
ダイヤル入力部１４に対する操作により、ユーザは、スピーカ１７１の出力音量や、サブ表示部１５およびメイン表示部１６に表示する文字サイズ（フォントサイズ）を変更することが可能となる。
図２（ｃ）および（ｄ）から明らかなように、閉状態と開状態のダイヤル入力部１４を比較すると、上下２方向の操作方向が物理的に逆転することになるが、本実施形態においては、ユーザにとって違和感が生じないように、ユーザから見た操作方向と操作に対する作用（たとえば、上述した音量変更や表示フォントサイズの変更）が常に一致するように、後述する制御部２０により制御される。
【００１８】
サブ表示部１５は、液晶表示装置（ＬＣＤ）等の表示デバイスを有し、図２（ｃ）に示すように、閉状態においてユーザに視認される表示部である。
メイン表示部１６は、液晶表示装置（ＬＣＤ）等の表示デバイスを有し、図２（ａ）に示すように、開状態においてユーザに視認される表示部である。
サブ表示部１５およびメイン表示部１６は、それぞれ閉状態および開状態において、受信した電子メールのテキストやメモリ１２に格納された様々なテキストデータを表示するほか、ユーザが認識しやすいように、ダイヤル入力部１４に対する操作による作用を、表示部中ダイヤル入力部１４に隣接する位置に表示する。
【００１９】
図３は、開状態におけるダイヤル入力部１４に対する操作による作用について、メイン表示部１６の表示を例示し、（ａ）は、ダイヤル入力部１４に対する操作による作用が出力音量の変更（増加／減少）に割り付けられている場合の表示例を、（ｂ）は、ダイヤル入力部１４に対する操作による作用が表示フォントサイズの変更（拡大／縮小）に割り付けられている場合の表示例を、それぞれ示す。
なお、図３においては、簡単のため、携帯電話機１の表示側本体ケース１０２のみを表しており、また、閉状態におけるダイヤル入力部１４に対する操作による作用については、サブ表示部１５に同様に表示することが可能である。
【００２０】
音声処理部１７は、音声処理回路を有し、通話機能のために音声出力を行うスピーカ１７１と音声入力を行うマイクロフォン１７２とが接続されている。
音声処理部１７は、マイクロフォン１７２により集音した音声に対して所定の処理を行って制御部２０に供給する。
また、音声処理部１７は、制御部２０により供給された音声情報に対して所定の処理を行ってスピーカ１７１から出力させる。
なお、図２に示すように、スピーカ１７１は、受話スピーカ１７１ａおよびリンガスピーカ１７１ｂの２箇所の音声出力手段を含み、リンガスピーカ１７１ｂは、着信音を報音するスピーカであるが、携帯電話機１が閉状態において、読み上げ機能が動作する場合に、サブ表示部１５に表示するテキストを音声出力することを行う。
【００２１】
開閉スイッチ１８は、携帯電話機１の開閉状態を検出するためのスイッチである。
開閉スイッチ１８の具体的な構成としては、様々な技術を適用することができるが、たとえば図２（ａ）に示すように、キー入力側本体ケース１０１および表示側本体ケース１０２のそれぞれに接点部を有し、閉状態（図２（ｂ））において両接点が電気的に非導通となることにより、オフ状態となるような構成にすることができる。
本実施形態においては、携帯電話機１が閉状態で開閉スイッチ１８はオン状態（ＯＮ状態）となり、開状態で開閉スイッチ１８はオフ状態（ＯＦＦ状態）となるように構成される。
【００２２】
読み上げキー入力部１９は、図２（ｃ）に示すように、ユーザが開状態の携帯電話機１を保持した時にユーザの親指により操作がしやすくなるように、表示側本体ケース１０２の側面に配設される押下式ボタンである。
本実施形態における携帯電話機１は、読み上げ機能を有し、読み上げキー入力部１９が操作されると、閉状態では、サブ表示部１５に表示されたテキストをリンガスピーカ１７１ｂより音声出力し、開状態では、メイン表示部１６に表示されたテキストを受話スピーカ１７１ａより音声出力する。後述する制御部２０は、携帯電話機１の開閉状態を開閉スイッチ１８の出力により判別した後、読み上げのための音声出力先を音声処理部１７に通知する。
【００２３】
制御部２０は、マイクロコンピュータを主体として構成され、携帯電話機１の全体の制御を行う。たとえば、制御部２０は、通信処理部１１における各種情報の無線による送受信の制御、音声処理部１７に対する音声情報の処理、メイン表示部１６への情報の表示制御、キー入力部１３の入力情報に応じた処理、メモリ１２に対するアクセス制御等を行う。
【００２４】
制御部２０は、ユーザの読み上げキー入力部１９に対する操作に応じて、読み上げ機能を実現するための音声合成処理を実行する。すなわち、サブ表示部１５およびメイン表示部１６に表示されているテキストデータを音声信号に変換する。
具体的には、制御部２０は、メモリ１２に格納する音素片データを参照することにより、表示部に表示されるテキストデータを順次音声データに変換し、変換した音声データが音声処理部１７により増幅処理されて、受話スピーカ１７１ａまたはリンガスピーカ１７１ｂより出力される。
その際、制御部２０は、開閉スイッチ１８がオン状態（ＯＮ状態）の場合、すなわち、携帯電話機１が閉状態である場合にはリンガスピーカ１７１ｂより音声出力がなされるように、また、開閉スイッチ１８がオフ状態（ＯＦＦ状態）の場合、すなわち、携帯電話機１が開状態である場合には受話スピーカ１７１ａより音声出力がなされるように、音声処理部１７を制御する。
【００２５】
制御部２０は、ダイヤル入力部１４において、ユーザにより上下２方向のダイヤル入力がなされると、アプリケーションの動作状況に応じて、ダイヤル入力に応じた処理を行う。
たとえば、サブ表示部１５またはメイン表示部１６がいわゆる待受画面を表示する状態において、携帯電話機１の上方向に対してダイヤル入力がなされると、着信音量が増加するように、また、携帯電話機１の下方向に対してダイヤル入力がなされると、着信音量が減少するように、音声処理部１７を制御する。
上記読み上げ機能が動作中の場合にも、同様に、上下方向のダイヤルに応じて、表示されるテキストを読み上げる音量がそれぞれ増減される。
【００２６】
また、サブ表示部１５またはメイン表示部１６がテキストを表示する状態において、携帯電話機１の上方向に対してダイヤル入力がなされると、表示されるテキストのフォントサイズが拡大するように、また、携帯電話機１の下方向に対してダイヤル入力がなされると、表示されるテキストのフォントサイズが縮小するように、各表示部を制御する。
文字情報については、スケーラブルフォントとして、若しくは、サイズの異なる複数のフォントとしてメモリ１２に格納されているので、制御部２０は、文字情報をメモリ１２から取り出して各表示部に表示させる。
なお、ここで、携帯電話機１は、図２（ｂ）に示す状態において、リンガスピーカ１７１ｂ側を下側として、テキストのフォントが表示されるとする。
【００２７】
制御部２０は、上述したように、ダイヤル入力部１４からのダイヤル入力に応じた処理を行うが、その際、携帯電話機１の開閉状態に応じた反転処理を行う。
一般的に、上下方向のダイヤル操作に対して、ユーザは、上方向の操作に対しては作用が増大することを、下方向の操作に対しては作用が減少することを期待するので、携帯電話機１の開閉状態に関わらず、上述したユーザの期待に沿った作用がなされることを実現するための処理が反転処理である。
【００２８】
すなわち、携帯電話機１が閉状態（図２（ｂ））において、上述したように、ダイヤルの上下方向の入力に応じて、たとえば音量がそれぞれ増減するように処理する場合には、仮に、何らその他の処理を行わないとすると、携帯電話機１が開状態（図２（ａ））においては、ユーザに対するダイヤル入力部１４の上下位置方向が閉状態と比して逆転するため、上方向の入力に応じて音量が減少し、ユーザにとって違和感が生ずる作用結果となる。
そこで、制御部２０は、開閉スイッチ１８の出力に基づいて、携帯電話機１の開閉状態を判別し、当該開閉状態に応じて、ダイヤル入力部１４に対する作用の反転処理を行う。これにより、ユーザから見ると、携帯電話機１の開閉状態に関わらず、常に、ダイヤル入力部１４に対する上方向の操作により、作用を増加させる（たとえば、音量を増加させる）方向に、また、ダイヤル入力部１４に対する下方向の操作により、作用を減少させる（たとえば、音量を減少させる）方向に、動作することになるので、違和感がなく、操作性が向上する。
【００２９】
以上、携帯電話機１の各構成要素について説明した。
次に、図４および図５に関連付けて、携帯電話機１の動作、すなわち、制御部２０により実行される処理について説明する。
図４は、開閉スイッチ１８の出力に応じて実行される処理を示すフローチャートであり、図５は、ダイヤル入力部１４に対する入力に応じて実行される処理を示すフローチャートである。
【００３０】
図４において実行される処理は、制御部２０により所定時間間隔で実行されるタスクである。
すなわち、制御部２０は、常時開閉スイッチ１８の出力をモニタし（ステップＳＴ１０）、開閉スイッチ１８の出力がオン状態（ＯＮ状態）である場合には、携帯電話機１の開閉状態を示すフラグである開閉状態フラグＢ＿ＣＯＮを、「１」（閉状態）とする（ステップＳＴ１１）。開閉状態フラグＢ＿ＣＯＮはメモリ１２に記憶されるので、制御部２０は、メモリ１２にアクセスして、開閉スイッチ１８の出力に応じて、開閉状態フラグＢ＿ＣＯＮの内容を書き換える。
さらに、制御部２０は、サブ表示部１５またはメイン表示部１６を制御して、図３に例示したように、ダイヤル入力部１４に対する操作による作用を表示させる（ステップＳＴ１１）。
【００３１】
一方、開閉スイッチ１８の出力がオフ状態（ＯＦＦ状態）である場合には、携帯電話機１の開閉状態を示すフラグである開閉状態フラグＢ＿ＣＯＮを、「０」（開状態）とする（ステップＳＴ１２）。開閉状態フラグＢ＿ＣＯＮはメモリ１２に記憶されるので、制御部２０は、メモリ１２にアクセスして、開閉スイッチ１８の出力に応じて、開閉状態フラグＢ＿ＣＯＮの内容を書き換える。
さらに、制御部２０は、サブ表示部１５またはメイン表示部１６を制御して、図３に例示したように、ダイヤル入力部１４に対する操作による作用を表示させる（ステップＳＴ１２）。
【００３２】
上記ステップＳＴ１１および１２において、ダイヤル入力部１４に対する操作による作用の表示出力先は、開閉スイッチ１８の出力がオフ状態（ＯＦＦ状態）である場合、すなわち、携帯電話機１が開状態である場合には、メイン表示部１６となるように制御し、また、開閉スイッチ１８の出力がオン状態（ＯＮ状態）である場合、すなわち、携帯電話機１が閉状態である場合には、サブ表示部１５となるように制御される。
なお、後述する図９に示すような様々な開閉パターンに応じて、上述した処理は適宜変更される。一般的に、閉状態においては、アンテナが取り付けられた筐体が表側とされ、アンテナのある端部を上側としてデザインされており、サブ表示部へのテキスト等の表示も、このデザインに従ってアンテナ側を上として行うことが多い。
【００３３】
図５において実行される処理は、制御部２０によりダイヤル入力部１４からのダイヤル入力に応じて実行されるタスクである。
すなわち、制御部２０は、常時ダイヤル入力部１４からのダイヤル入力の有無をモニタし（ステップＳＴ２０）、ダイヤル入力を認識すると、メモリ１２が記憶する開閉状態フラグＢ＿ＣＯＮに基づいて（ステップＳＴ２１）、反転処理の実行有無を判別する。
開閉状態フラグＢ＿ＣＯＮが「１」（閉状態）である場合には、すなわち、携帯電話機１が閉状態である場合には、開状態に対して、ダイヤル入力に対する操作による作用を反転させる必要があるため、反転処理が行われる（ステップＳＴ２２）。
反転処理は、様々な方法により実現することができる。
たとえば、ダイヤル入力部１４からのダイヤル入力を可変抵抗を介して電気信号に変換し、変換された電気信号に応じて、音声出力のゲイン（増幅度）を決定する構成を有する場合には、ゲインを決定する際に、反転処理を行うようにすればよい。具体的には、電気信号が１Ｖから５Ｖまでの電圧信号であって、開状態のゲインを１０〜１００と設定している場合には、閉状態において当該ゲインが順に１００〜１０となるように反転させて設定する。
【００３４】
図６は、図４および図５を用いて説明した携帯電話機１の動作と異なる構成例を示すフローチャートである。
図６に示す動作では、ダイヤル入力部１４に対するダイヤル入力をトリガとして、開閉スイッチ１８の出力状態をチェックする。
すなわち、制御部２０は、ダイヤル入力を認識すると（ステップＳＴ３０）、開閉スイッチ１８の出力状態をチェックし（ステップＳＴ３１）、オン状態（ＯＮ状態）である場合、すなわち、携帯電話機１が閉状態である場合には、上記反転処理を行う（ステップＳＴ３２）。
【００３５】
次いで、図７に関連付けて、携帯電話機１の動作の応用例について説明する。
図７は、図５を用いて説明したダイヤル入力に対する処理を行う際に、動作中のアプリケーションに応じて実行される様々な反転処理が実行されるフローチャートを示す。
図５同様、反転処理が実行されるためには、ダイヤル入力が認識され（ステップＳＴ４０）、開閉状態フラグＢ＿ＣＯＮが「１」を示す場合（ステップＳＴ４１）であることが条件となる。
【００３６】
本実施形態に係る携帯電話機１は、読み上げ機能を有しているため、図７に示す処理においては、読み上げ機能が動作中の場合には（ステップＳＴ４２）、読み上げのための音量について反転処理が行われる（ステップＳＴ４３）。これにより、携帯電話機１の開閉状態に関わらず、たとえば、ユーザがダイヤル入力部１４を上方向に操作することにより、読み上げ音量が増大する。
なお、ユーザによる読み上げキー入力部１９に対する操作により、制御部２０は音声合成処理を開始させることで上記読み上げ機能が動作する。読み上げ機能が動作中には、たとえば動作中を示すフラグをセットし、当該フラグの内容をチェックすることにより、ステップＳＴ４２の判断が行われる。
【００３７】
読み上げ機能が動作中でない場合であって（ステップＳＴ４２）、サブ表示部１５またはメイン表示部１６がテキストを表示中である場合には（ステップＳＴ４４）、表示されるフォントサイズについて反転処理が行われる（ステップＳＴ４５）。これにより、携帯電話機１の開閉状態に関わらず、たとえば、ユーザがダイヤル入力部１４を上方向に操作することにより、表示されるフォントサイズが拡大する。
さらに、サブ表示部１５またはメイン表示部１６がテキストを表示中でない場合（ステップＳＴ４４）、たとえば待受画面を表示する場合には、その他の反転処理が行われる（ステップＳＴ４６）。その際、着信音量についての反転処理や、待受画面上の時計表示等についての反転処理が行われる。
【００３８】
以上説明したように、本発明の実施形態に係る携帯電話機１は、基準筐体となるキー入力側本体ケース１０１と、キー入力側本体ケース１０１に対して回動することにより開閉状態を形成する表示側本体ケース１０２とからなる折り畳み式携帯電話機であって、表示側本体ケース１０２に設置され、上下２方向の入力を行うダイヤル入力部１４と、閉状態において露出される位置に配設されたサブ表示部１５と、開状態となることにより露出される位置に配設されるメイン表示部１６と、スピーカを制御する音声処理部１７と、携帯電話機１の開閉状態を検出する開閉スイッチ１８と、開閉スイッチ１８の出力結果に応じて、ダイヤル入力部１４に対する操作による作用を逆転させる制御部２０と、を有している。
したがって、携帯電話機１が閉状態である場合に比べて、開状態におけるダイヤル入力部１４の上下位置が物理的に反転しても、ダイヤル入力部１４に対する作用を逆転させることにより、携帯電話機１の開閉状態に関わらず、常に、ダイヤル入力部１４に対する上方向の操作により、作用を増加させる方向に、また、ダイヤル入力部１４に対する下方向の操作により、作用を減少させる方向に、動作することになるので、ユーザにとって違和感がなく、操作性が向上する。
【００３９】
また、本発明の実施形態に係る携帯電話機１によれば、音声処理部１７が制御するスピーカが報音中であるか否かを判別して、報音中の場合には、ダイヤル入力部１４に対する操作による作用を報音中の音量の変化（増加／減少）とし、また、報音中でない場合には、ダイヤル入力部１４に対する操作による作用を表示されるテキストのフォントサイズの変化（拡大／縮小）としたので、ユーザは、どのアプリケーションが選択され動作しているかについて気にせず、ダイヤル入力部１４の操作により適切な作用が得られるため、さらに操作性が向上する。
【００４０】
また、本発明の実施形態に係る携帯電話機１によれば、ダイヤル入力部１４に対する操作の作用内容をサブ表示部１５またはメイン表示部１６に表示させるようにしたので、ユーザはダイヤル入力部１４に対する作用内容を視認でき、利便である。
【００４１】
本実施形態に係る携帯端末装置は、上述した内容に拘泥せず、本発明の要旨を変更しない範囲で様々な改変が可能である。
たとえば、上述した携帯端末装置としての携帯電話機では、操作手段として、ダイヤル入力部１４について説明したが、本発明に係る操作手段は、ダイヤル入力部１４に限定されるものではなく、様々な実施形態を想定することができる。
図８は、本発明に係る操作手段として、様々な実施形態を例示する図であり、（ａ）はダイヤル式入力を、（ｂ）シャトル式入力（垂直復帰型）を、（ｃ）シーソー式入力を、（ｄ）複数のキー入力を、（ｅ）正面部に設置されるダイヤル式入力を、（ｆ）は正面部に設置される上下キー入力を、それぞれ示す。
図８に示すように、操作手段は、ダイヤル入力部１４のようなダイヤル式入力に限定されず、相対する２方向に操作可能な操作手段であれば、様々なタイプの入力方式に対して、本発明を適用することが可能である。
また、図８（ｅ）および（ｆ）に示すように、操作手段は、必ずしも筐体の側面に設置される必要はなく、筐体の正面部に設置されてもよい。
【００４２】
また、携帯電話機の開閉方法についても、様々な方式が知られているところであり、それら全ての方式に本発明を適用することが可能である。
図９は、携帯電話機の様々な開閉方法について例示する図であり、（ａ）と（ｃ）はフォルダ型（折り畳み式）を、（ｂ）と（ｄ）はターン型（回転式）を、それぞれ示す。図９（ａ）〜（ｄ）それぞれにおいて、左図は、閉状態において、ユーザが表示部を視認する場合の形態を示し、右図は、開状態において、ユーザが表示部を視認する場合の形態を示す。なお、図９（ｂ）および（ｄ）に示すターン型においては、図示のとおり、開状態および閉状態双方でメイン表示部のみとなる。
図９に示す携帯電話機は、それぞれ２筐体から構成されているが、以下の説明では、図９（ａ）〜（ｄ）の各図において、閉状態においてユーザが表示部を視認する場合を基準として、図示のとおり、Ａ筐体およびＢ筐体と表現する。
【００４３】
図９（ａ）に示す携帯電話機は、左図において、回動の基準筐体がＢ筐体であり、Ａ筐体を上側に回動させることで開状態を形成する。これは、上述した携帯電話機１と同様の開閉操作である。
図９（ｂ）に示す携帯電話機は、左図において、回動の基準筐体がＢ筐体であり、Ａ筐体を反時計回りに回動させることで開状態を形成する。
図９（ｃ）に示す携帯電話機は、左図において、回動の基準筐体がＡ筐体であり、Ｂ筐体を上側に回動させることで開状態を形成する。但し、左図に示す閉状態の形態を裏返し、Ａ筐体を裏面とした後に回動操作を行う。
図９（ｄ）に示す携帯電話機は、回動の基準筐体がＡ筐体であり、Ｂ筐体を反時計回りに回動させることで開状態を形成する。
【００４４】
図９（ａ）〜（ｄ）に示す各携帯電話機に対して本発明を適用する場合には、それぞれの開閉機構の違いに応じて、側面部に設置される操作手段（操作キー）の開状態および閉状態の各位置と、表示部に表示される「操作キーの作用表示」の表示部中の位置および表示の向きとが常に一致するように、表示部を制御する必要がある。
以下、図９に示す各携帯電話機に対する必要な表示制御について述べる。
【００４５】
図９（ａ）に示すフォルダ型携帯電話機では、閉状態（左図）において、操作キーはＡ筐体の左側面部に存在し、それに応じて、Ａ筐体のサブ表示部中操作キーに隣接した部分（表示部左側）に、たとえば、作用表示として「大←→小」といった表示がなされているとして、これを開状態（右図）とした時には、操作キーは依然として左側面部に位置するので、作用表示の表示位置は、メイン表示部とサブ表示部の双方で操作キーの位置と一致する。
したがって、図９（ａ）に示すフォルダ型携帯電話機では、特に表示部に対して制御する必要がない。
【００４６】
図９（ｂ）に示すターン型携帯電話機では、閉状態（左図）において、表示部中操作キーに隣接した部分（表示部左側）に、たとえば、作用表示として「大←→小」といった表示がなされているとして、これを開状態（右図）とした時に、仮に何ら表示部に対する制御が行われていないとすると、作用表示の表示部中の配置は操作キーと連動するものの、作用表示の「大←→小」がユーザにとって上下が逆転されて表示されてしまう。
したがって、図９（ｂ）に示すターン型携帯電話機では、作用表示の表示向きが適切となるように、表示部を制御する必要がある。
【００４７】
図９（ｃ）に示すフォルダ型携帯電話機では、閉状態（左図）において、操作キーはＢ筐体の右側面部に存在するので、それに応じて、Ａ筐体のサブ表示部中操作キーに隣接した部分（表示部右側）に、たとえば、作用表示として「大←→小」といった表示がなされているとして、これを開状態（右図）とした時には、操作キーは左下部分に位置するので、仮に何ら表示部に対する制御が行われていないとすると、作用表示はサブ表示部における位置と同様にメイン表示部の右側に表示され、操作キーの位置と不一致となる。
したがって、図９（ｃ）に示すフォルダ型携帯電話機では、作用表示の表示位置が適切となるように、表示部を制御する必要がある。
【００４８】
図９（ｄ）に示すターン型携帯電話機では、閉状態（左図）において、表示部中操作キーに隣接した部分（表示部左側）に、たとえば、作用表示として「大←→小」といった表示がなされているとして、これを開状態（右図）とした時に、仮に何ら表示部に対する制御が行われていないとすると、表示部のある基準筐体Ａは回動しないので、操作キーの位置と作用表示位置が不一致となる。すなわち、作用表示は表示部左側のままであるが、操作キーは携帯電話機に右側面に移動する。
したがって、図９（ｄ）に示すターン型携帯電話機では、作用表示の表示位置が適切となるように、表示部を制御する必要がある。
【００４９】
図９に示した各携帯電話機に対して、上述したような表示制御を行うことで、側面部に設置される操作キーの開状態および閉状態の各位置と、表示部に表示される「操作キーの作用表示」の表示部中の位置および表示の向きとが常に一致させることが可能となる。
なお、上述した実施形態は、携帯電話機を例として説明したが、ＰＨＳ，ＰＤＡ，ノート型ＰＣ等携帯性を有する電子機器全般に本発明は適用可能である。
【図面の簡単な説明】
【００５０】
【図１】携帯電話機のシステム構成の一例を図解したブロック図である。
【図２】携帯電話機の外観の一例を図解した図であり、（ａ）は正面の外観図を、（ｂ）は背面の外観図を、（ｃ）は正面の外観図を、（ｄ）は背面の外観図を、それぞれ示す。
【図３】携帯電話機の表示部の動作を例示する図であり、（ａ）はダイヤル入力に対する出力音量の作用を、（ｂ）ダイヤル入力に対する表示フォントサイズの作用を、それぞれ示す。
【図４】携帯電話機の動作を示すフローチャートの一例である。
【図５】携帯電話機の動作を示すフローチャートの一例である。
【図６】携帯電話機の動作を示すフローチャートの一例である。
【図７】携帯電話機の動作を示すフローチャートの一例である。
【図８】本発明に係る操作手段として、様々な実施形態を例示する図であり、（ａ）はダイヤル式入力を、（ｂ）シャトル式入力（垂直復帰型）を、（ｃ）シーソー式入力を、（ｄ）複数のキー入力を、（ｅ）正面部に設置されるダイヤル式入力を、（ｆ）は正面部に設置される上下キー入力を、それぞれ示す。
【図９】携帯電話機１の様々な開閉方法について例示する図であり、（ａ）と（ｃ）はフォルダ型（折り畳み式）を、（ｂ）と（ｄ）はターン型（回転式）を、それぞれ示す。
【符号の説明】
【００５１】
１…携帯電話機
１０…本体ケース
１０１…キー入力側本体ケース
１０２…表示側本体ケース
１１…通信処理部
１１１…送受信アンテナ
１２…メモリ
１３…キー入力部
１４…ダイヤル入力部
１５…サブ表示部
１６…メイン表示部
１７…音声処理部
１７１…スピーカ
１７１ａ…受話スピーカ
１７１ｂ…リンガスピーカ
１７２…マイクロフォン
１８…開閉スイッチ
１９…読み上げキー入力部
２０…制御部
【図１】
2005217537.tif 000003
【図２】
2005217537.tif 000004
【図３】
2005217537.tif 000005
【図４】
2005217537.tif 000006
【図５】
2005217537.tif 000007
【図６】
2005217537.tif 000008
【図７】
2005217537.tif 000009
【図８】
2005217537.tif 000010
【図９】
2005217537.tif 000011